(57)【要約】      （修正有）【課題】ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパターを提供する。【解決手段】パターヘッド部１０、グリップ部３０、および前記パターヘッド部１０と前記グリップ部３０とを接続したシャフト部２０を備えたゴルフパター１であって、前記シャフト部２０が、前記パターヘッド部１０に接続された二本以上の下方位置シャフト２１，２２と、前記グリップ３０に接続された上方位置シャフト２３とを有している。【選択図】図１
2010046223.tif 000002
【特許請求の範囲】
【請求項１】
パターヘッド部、グリップ部、および前記パターヘッド部と前記グリップ部とを接続したシャフト部を備えたゴルフパターであって、
前記シャフト部が、前記パターヘッド部に接続された二本以上の下方位置シャフトと、前記グリップ部に接続された上方位置シャフトとを有し、
前記パターヘッドが、パッティング時にボールに接触するヘッド打球面と、前記ヘッド打球面と直交するヘッド中央基準線とを有し、
前記下方位置シャフトの少なくとも二本が、前記ヘッド中央基準線に対して均等な位置および角度に設けられている
ことを特徴とするゴルフパター。
【請求項２】
パターヘッド部、グリップ部、および前記パターヘッド部と前記グリップ部とを接続したシャフト部を備えたゴルフパターであって、
前記シャフト部が、前記パターヘッド部に接続された二本の下方位置シャフトと、前記グリップ部に接続された一本の上方位置シャフトとを有し、前記下方位置シャフトと前記上方位置シャフトとが連結接合されており、
前記パターヘッドが、パッティング時にボールに接触するヘッド打球面と、前記ヘッド打球面と直交するヘッド中央基準線とを有し、
前記下方位置シャフトのそれぞれが前記ヘッド中央基準線に対して均等な位置および角度に設けられており、前記上方位置シャフトが前記ヘッド中央基準線上あるいは前記ヘッド中央基準線の延長線上に位置すべく設けられている
ことを特徴とするゴルフパター。
【請求項３】
前記ヘッド打球面と直交すべく、凹み部を有するヘッド中央部が設けられており、
前記ヘッド中央部上に、前記ヘッド中央基準線が設けられている
請求項１または２に記載のゴルフパター。
【発明の詳細な説明】
【技術分野】
【０００１】
本発明は、ゴルフパターに関するものである。より具体的には、その構造に基づき、カップインの確率を向上させることが可能なゴルフパターに関するものである。
【背景技術】
【０００２】
従来技術にかかるゴルフパターは、パターヘッド、グリップ、およびパターヘッドとグリップとを接続した一本のシャフトとを用いて構成されている。この際、パターヘッドは、シャフトに対して所定の角度を有するように傾斜して取り付けられた構造が、一般的である。
【０００３】
従来技術にかかるゴルフパターを用いてパッティングを行う際、プレイヤーは、両足を結んだ延長線方向にボールを打ち出すように構える。つまり、プレイヤーは、目標（カップ）に対して横向きに位置し（カップとボールとを結んだ直線に対して身体を略平行に位置し）、ボールに対してやや前屈みの状態で構える。そして、その状態から頭を左右させることによって、ボールの位置とカップの位置とを交互に確認し、この確認後、身体をやや前屈みの状態としたままで、ゴルフパターを用いてボールを打ち出し、ボールがカップインすることを目指す。
【０００４】
【特許文献１】特開平１０−１４６４０５号公報
【発明の開示】
【発明が解決しようとする課題】
【０００５】
ところで、ゴルフパターを用いたパッティングにおいては、グリーン上にて正確なラインを見極めることが重要である。一般のプレイヤーは、ボールの後ろからカップの方向を目視しながら、グリーンの傾斜角度や芝生の生え方等を勘案して、正確なラインを見極めるための作業を行う。
【０００６】
しかしながら、このようにして自分なりにラインを見極めたとしても、プレイヤーは、上述したような姿勢（両足を結んだ延長線方向にボールを打ち出すように構えた横向きの姿勢）で、頭を左右に動かした後に、パッティングを行う。つまり、ラインを見極める（読む）ときの姿勢と、パッティングを行うときの姿勢および動作とには、身体の向きや頭の位置等に大きな違い（ズレ）が生じている。
【０００７】
したがって、仮に正確なラインを見極めることができたとしても、ラインを見極めるときの姿勢とパッティングを行うときの姿勢等との間に、上述した種々のズレが生じることから、自ずとパッティングの成功率（カップインの確率等）は低下してしまう。
【０００８】
従来技術にかかるパッティング方法の一つとして、身体の正面を目標（カップ）に対向させる方法が知られている（特許文献１参照）。この方法であれば、ラインを見極めるときの姿勢とパッティングを行うときの姿勢等との間のズレを低減させることが可能となる。しかし、従来技術にかかるパッティングに使用されるゴルフパターでは、十分な効果を得ることができない。
【０００９】
そこで、本発明は、上記従来技術にかかる問題を解決するためになされたものであって、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパターを提供することを課題とする。
【課題を解決するための手段】
【００１０】
本発明の第一態様にかかるゴルフパターは、上記課題を解決するためになされたものであり、パターヘッド部、グリップ部、および前記パターヘッド部と前記グリップ部とを接続したシャフト部を備えたゴルフパターであって、前記シャフト部が、前記パターヘッド部に接続された二本以上の下方位置シャフトと、前記グリップ部に接続された上方位置シャフトとを有し、前記パターヘッドが、パッティング時にボールに接触するヘッド打球面と、前記ヘッド打球面と直交するヘッド中央基準線とを有し、前記下方位置シャフトの少なくとも二本が、前記ヘッド中央基準線に対して均等な位置および角度に設けられていることを特徴としている。
【００１１】
本発明にかかるゴルフパターは、プレイヤーＰが目標（カップ、あるいは打ち出し方法位置等）に対して正面を向くような状態で使用するのに適した構造を有している。加えて、本発明にかかるゴルフパターは、少なくとも二本の下方位置シャフトが二股構造を有し、ヘッド中央基準線に対して均等な位置および角度となるようにパターヘッド部に取り付けられている。このような構成によれば、パッティング時において、プレイヤーは、このヘッド中央基準線と二股状の下方位置シャフトとの位置関係を真上から確認可能であるため、ボールに対する打点位置の正確性を高めることができる。したがって、本発明によれば、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパターを得ることができる。
【００１２】
また、本発明の第二態様にかかるゴルフパターは、上記課題を解決するためになされたものであり、パターヘッド部、グリップ部、および前記パターヘッド部と前記グリップ部とを接続したシャフト部を備えたゴルフパターであって、前記シャフト部が、前記パターヘッド部に接続された二本の下方位置シャフトと、前記グリップ部に接続された一本の上方位置シャフトとを有し、前記下方位置シャフトと前記上方位置シャフトとが連結接合されており、前記パターヘッドが、パッティング時にボールに接触するヘッド打球面と、前記ヘッド打球面と直交するヘッド中央基準線とを有し、前記下方位置シャフトのそれぞれが前記ヘッド中央基準線に対して均等な位置および角度に設けられており、前記上方位置シャフトが前記ヘッド中央基準線上あるいは前記ヘッド中央基準線の延長線上に位置すべく設けられていることを特徴としている。
【００１３】
本発明にかかるゴルフパターは、上述した第一態様と同様に、プレイヤーＰが目標（カップ、あるいは打ち出し方法位置等）に対して正面を向くような状態で使用するのに適した構造を有している。加えて、本発明にかかるゴルフパターは、二本の下方位置シャフトが二股構造を有し、ヘッド中央基準線に対して均等な位置および角度となるようにパターヘッド部に取り付けられていると共に、上方位置シャフトがヘッド中央基準線上あるいはヘッド中央基準線の延長線上に位置すべく設けられている。このような構成によれば、パッティング時において、プレイヤーは、このヘッド中央基準線と二股状の下方位置シャフトとの位置関係を真上から確認可能であるため、ボールに対する打点位置の正確性をより高めることができる。したがって、本発明によれば、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパターを得ることができる。
【００１４】
さらに、本発明の第三態様にかかるゴルフパターは、第一態様あるいは第二態様の構成において、前記ヘッド打球面と直交すべく、凹み部を有するヘッド中央部が設けられており、前記ヘッド中央部上に、前記ヘッド中央基準線が設けられている（あるいは記載されている）構成が好ましい。
【００１５】
このような構成によれば、凹み部を有することによって、身体のバランスを保った状態で真上からでないと、ヘッド中央部上のヘッド中央基準線が直線には見えない。つまり、本発明によれば、この凹み部を有することによって（ヘッド中央基準線が直線に見えるかどうかによって）、身体の位置のズレ、頭の位置のズレ、腕の位置のズレ等を把握することが可能となって、正しいアドレス状態を保持し、延いてはカップインの確率を向上させることができる。
【発明の効果】
【００１６】
本発明によれば、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパターを得ることができる。
【発明を実施するための最良の形態】
【００１７】
以下、図面に基づいて、本発明の実施形態を説明する。
【００１８】
図１は、本発明の実施形態にかかるゴルフパター１の概略斜視図を示したものである。また、図２は、本発明の実施形態にかかるゴルフパター１の概略図を示したものであり、図２（ａ）は本実施形態にかかるゴルフパター１の概略正面図を示し、図２（ｂ）は本実施形態にかかるゴルフパター１の概略側面図を示している。さらに、図３は、本発明の実施形態にかかるゴルフパター１の概略図を示したものであり、図３（ａ）は図２（ａ）のIII−III矢視線方向概略断面図を示し、図３（ｂ）は図３（a）のIV−IV矢視線方向概略断面図を示している。また、図４は、本発明の実施形態にかかるゴルフパター１をプレイヤーＰが使用している状態（構えた状態）の概略図を示したものであり、図４（ａ）は構えた状態の概略正面図を示し、図４（ｂ）は構えた状態の概略側面図を示している。さらに、図５は、本発明の実施形態にかかるゴルフパター１をプレイヤーＰが使用している状態（打ち出し動作状態）の概略側面図を示したものであり、図５（ａ）は打ち出し動作直前の概略側面図を示し、図５（ｂ）は打ち出し動作開始時（テークバック）の概略側面図を示し、図５（ｃ）は打ち出し動作直後（フォロースルー）の概略側面図を示している。
【００１９】
図１から図３等に示すように、本実施形態にかかるゴルフパター１は、パターヘッド部１０、グリップ部３０、およびパターヘッド部１０とグリップ部３０とを接続したシャフト部２０を用いて構成されている。
【００２０】
パターヘッド部１０には、パッティング時にボールと接触する面であるヘッド打球面１１が設けられている。また、このパターヘッド部１０には、このヘッド打球面１１に直交すべく、凹み部１４ａを有するヘッド中央部１４が設けられており、このヘッド中央部１４上には、ヘッド打球面１１に直交したヘッド中央基準線１５が設けられている。
【００２１】
さらに、パターヘッド部１０には、ヘッド打球面１１の上方位置に、ヘッド中央基準線１５から均等な位置に、後述するシャフト部２０（を成す下方位置シャフト２１，２２）を取り付けるため、二つの接合部（第一接合部１２，第二接合部１３）が設けられている。
【００２２】
本実施形態にかかるシャフト部２０は、上方位置シャフト２３と、二本の下方位置シャフト（第一下方位置シャフト２１，第二下方位置シャフト２２）と、これらのシャフト２１，２２，２３を連結接合するシャフト連結接合部２４とを用いて構成されている。
【００２３】
上方位置シャフト２３の上方端部は、グリップ部３０に接続されており、上方位置シャフト２３の下方端部は、シャフト連結接合部２４を介して下方位置シャフト２１，２２に接続されている。下方位置シャフト２１，２２のそれぞれは、パターヘッド部１０の接合部１２，１３に取り付けられている。この際、下方位置シャフト２１，２２のそれぞれは、ヘッド中央基準線１５に対して均等な位置および角度に設けられている。また、上方位置シャフト２３は、ヘッド中央基準線１５上あるいはこのヘッド中央基準線１５の延長線上に位置すべく設けられている。
【００２４】
本実施形態にかかるグリップ部３０は、図１等に示すように、大きめの扁平形状に構成されている。このような大きさおよび形状に構成されているのは、プレイヤーＰがゴルフパター１を持って、目標（カップ等）に対して正面に構える際に、グリップ部３０を両手でしっかり把持することができるようにするためである。つまり、本実施形態にかかるゴルフパター１は、図４等に示すように、目標（カップ等）に対してプレイヤーＰが身体の正面を対向させた状態で構えた打ち方に適するように構成されている。
【００２５】
本実施形態にかかるゴルフパター１は、以上のように構成され、この構成に基づき、次のように使用される。
【００２６】
本実施形態にかかるゴルフパター１を使用する場合（アドレス時においては）、図４に示すように、プレイヤーＰは、両足（右足ＲＦ，左足ＬＦ）を開き、ゴルフパター１を構成するグリップ部３０を両手（右手ＲＨ，左手ＬＨ）で把持し、ゴルフパター１を構成するパターヘッド部１０を両足ＲＦ，ＬＦの間の中央部（身体の中心線の延長線上）に位置させるべく構える。
【００２７】
そして、この図４に示すようなアドレス状態からパッティングを行なう場合には、図５に示すような動作を行う。
【００２８】
具体的には、まず、プレイヤーＰは、アドレス時において、目標（カップ、あるいは打ち出し方法位置等）とボールＢとの延長線上に身体を正面にして立ち、ボールＢの後ろ側にて両足ＲＦ，ＬＦを開き、グリップ部３０を両手ＲＨ，ＬＨで把持し、パターヘッド部１０を両足ＲＦ，ＬＦ間の中央部且つボールＢの後方に位置させるべく構える（図５（ａ）参照）。
【００２９】
次いで、バックスイング時において、プレイヤーＰは、図５（ｂ）に示すように、両脇をしめたまま、主に手首の動きによって、パターヘッド部１０を両足ＲＦ，ＬＦ間の後ろ方向（矢印Ｘ１方向）に移動させる。この際、パターヘッド部１０の移動距離は、プレイヤーＰ自身のラインの読み等に応じて調整される。
【００３０】
次いで、インパクト時において、プレイヤーＰは、図５（ｃ）に示すように、両脇をしめたまま、主に手首の動きによって、両足ＲＦ，ＬＦ間に位置するパターヘッド部１０を前方向（矢印Ｘ２方向）に移動させる。この際、パターヘッド部１０のヘッド打球面１１に接したボールＢ（図５（ｃ）の破線図参照）は、前方向（矢印Ｘ２方向）に打ち出され、打ち出されたボールＢ（図５（ｃ）の実線図参照）が目標（カップ、あるいは打ち出し方法位置等）に向かって転がり出すこととなる。
【００３１】
本実施形態にかかるゴルフパター１は、上述したように構成され使用されるため、その構成等に基づき、次のような効果を得ることができる。
【００３２】
本実施形態にかかるゴルフパター１は、図４等に示すように、プレイヤーＰが目標（カップ、あるいは打ち出し方法位置等）に対して正面を向くような状態で使用するのに適した構造を有している。したがって、本実施形態によれば、プレイヤーＰは、目標（カップ等）を、左右の両目にて同距離で視認することが可能となって、距離感が向上し、カップインの確率を向上させることできる。また、本実施形態によれば、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行うことが可能となるため、より効果的にカップインの確率を向上させることができる。
【００３３】
また、本実施形態にかかるゴルフパター１は、シャフト部２０を構成する下方位置シャフト２１，２２が二股構造を有し、ヘッド中央基準線１５に対して均等な位置および角度となるようにパターヘッド部１０に取り付けられている。したがって、このような構成によれば、パッティング時において、プレイヤーＰは、このヘッド中央基準線１５と下方位置シャフト２１，２１との位置関係を真上から確認可能であるため、ボールＢに対する打点位置の正確性を高めることができる。
【００３４】
さらに、本実施形態にかかるゴルフパター１は、パターヘッド部１０のヘッド打球面１１に直交すべく、ヘッド中央部１４が設けられていることから、重心がパターヘッド部１０の中心からの延長線上に位置することになる。したがって、このような構成によれば、ゴルフパター１を操作する際の振子運動のバランス性能が向上し、スムーズなパッティングを実現可能となって、カップインの確率を向上させることができる。
【００３５】
また、本実施形態にかかるゴルフパター１を構成するヘッド中央部１４には凹み部１４ａが設けられており、このヘッド中央部１４上にヘッド中央基準線１５が記載されている。このような構成によれば、凹み部１４ａを有することによって、身体のバランスを保った状態で真上からでないと、ヘッド中央部１４上のヘッド中央基準線１５が直線には見えない。つまり、このような構成によれば、この凹み部１４ａを有することによって（ヘッド中央基準線１５が直線に見えるかどうかによって）、身体の位置のズレ、頭の位置のズレ、腕の位置のズレ等を把握することが可能となって、正しいアドレス状態を保持し、延いてはカップインの確率を向上させることができる。
【００３６】
さらに、本実施形態にかかるゴルフパター１は、両肘を胸に密着させた状態で（脇をしめた状態で）、グリップ部３０を両手ＲＨ，ＬＨで左右対称となるように握るため（図４等参照）、真っ直ぐな振子運動が可能となり、目標（カップ等）までの打線（ライン）に対してボールＢを正確に打ち出すことができる。
【００３７】
また、本実施形態によれば、スイング動作（振子運動動作）は、主に手首の前後運動のみに制限され、パターヘッド部１０の重量および重心位置（ヘッド中央部１４）と相俟って、振子運動動作ラインは極めて直線に近くなる。したがって、本実施形態にかかるゴルフパター１を用いたパッティングによれば、スイング動作が極めて直線に近くなることから、目標（カップ等）までの打線（ライン）に対する打ち出し誤差が大きく低減され、カップインの確率を向上させることができる。
【００３８】
以上説明したように、本実施形態にかかるゴルフパター１は、図４等に示すように、プレイヤーＰが目標（カップ、あるいは打ち出し方法位置等）に対して正面を向くような姿勢で使用するのに適した構造を有している。この姿勢は、ラインを見極める（読む）ときの姿勢と、それ程大きな違いはない。また、本実施形態にかかるゴルフパター１は、この姿勢にてボールＢを打ち出す際に、種々の利点を有するように構成されている（詳細は、上述の通り）。すなわち、本実施形態によれば、ラインを見極める（読む）ときの姿勢と、パッティングを行うときの姿勢および動作との間に（身体の向きや頭の位置・動き等に）大きなズレを生じさせることなく、身体のバランス（パッティング前の姿勢に関するバランス、パッティング時の姿勢に関するバランス等）を保ちつつパッティングを行って、カップインの確率を向上させることが可能な、ゴルフパター１を得ることができる。
【００３９】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００４０】
例えば、上記実施形態においては、二本の下方位置シャフト２１，２２を設けた場合について説明したが、本発明はこの構成に限定されない。したがって、例えば、本発明の趣旨に適合し得る範囲内において、三本以上の下方位置シャフトを設けた構成であってもよい。すなわち、図６に示すような構成のゴルフパター１０１も本発明の技術的範囲に属する。ここで、図６に示したゴルフパター１０１について説明する。なお、この図６に示したゴルフパター１０１の使用方法は、先に説明した実施形態の使用方法と同様であるため、ここではその使用方法に関する説明を省略する。
【００４１】
図６は、本発明の他の実施形態にかかるゴルフパター１０１の概略斜視図を示したものである。図６に示すように、本実施形態にかかるゴルフパター１０１は、パターヘッド部１１０、グリップ部１３０、およびパターヘッド部１１０とグリップ部１３０とを接続したシャフト部１２０を用いて構成されている。
【００４２】
パターヘッド部１１０には、パッティング時にボールと接触する面であるヘッド打球面１１１が設けられている。また、このパターヘッド部１１０には、このヘッド打球面１１１に直交すべく、凹み部１１４ａを有するヘッド中央部１１４が設けられており、このヘッド中央部１１４上には、ヘッド打球面１１１に直交したヘッド中央基準線１１５が設けられている。
【００４３】
さらに、パターヘッド部１１０には、ヘッド打球面１１１の上方位置に、ヘッド中央基準線１１５から均等な位置等に、後述するシャフト部１２０（を成す下方位置シャフト１２１，１２２，１２５）を取り付けるため、三つの接合部（第一接合部１１２，第二接合部１１３，第三接合部１１６）が設けられている。
【００４４】
本実施形態にかかるシャフト部１２０は、上方位置シャフト１２３と、三本の下方位置シャフト（第一下方位置シャフト１２１，第二下方位置シャフト１２２，第三下方位置シャフト１２５）と、これらのシャフト１２１，１２２，１２３，１２５を連結接合するシャフト連結接合部１２４とを用いて構成されている。
【００４５】
上方位置シャフト１２３の上方端部は、グリップ部１３０に接続されており、上方位置シャフト１２３の下方端部は、シャフト連結接合部１２４を介して下方位置シャフト１２１，１２２，１２５に接続されている。下方位置シャフト１２１，１２２，１２５のそれぞれは、パターヘッド部１１０の接合部１１２，１１３，１１６に取り付けられている。この際、第一下方位置シャフト１２１および第二下方位置シャフト１２２は、ヘッド中央基準線１１５に対して均等な位置および角度に設けられている。また、第三下方位置シャフト１２５は、ヘッド中央基準線１１５上あるいはこのヘッド中央基準線１１５の延長線上に位置すべく設けられている。さらに、上方位置シャフト１２３も、ヘッド中央基準線１１５上あるいはこのヘッド中央基準線１１５の延長線上に位置すべく設けられている。
【００４６】
本実施形態にかかるグリップ部１３０は、大きめの扁平形状に構成されている。このような大きさおよび形状に構成されているのは、プレイヤーがゴルフパター１０１を持って、目標（カップ等）に対して正面に構える際に、グリップ部１３０を両手でしっかり把持することができるようにするためである。つまり、本実施形態にかかるゴルフパター１０１は、目標（カップ等）に対してプレイヤーが身体の正面を対向させた状態で構えた打ち方に適するように構成されている。
【００４７】
本実施形態にかかるゴルフパター１０１は、以上のように構成され、この構成に基づき、先に説明した実施形態（図１から図５参照）に示したように使用される。そして、その結果として、基本的には、先に説明した実施形態と同様の作用効果を得ることができる。
【００４８】
本実施形態（図６参照）と先に説明した実施形態（図１から図５参照）との構成上の違いは、ヘッド中央基準線１１５上（あるいはこのヘッド中央基準線１１５の延長線上）に位置すべく第三下方位置シャフト１２５が設けられている点である。本実施形態によれば、この構成上の違いに基づき、パッティング時において、プレイヤーは、ヘッド中央基準線１１５と下方位置シャフト１２１，１２１，１２５との位置関係を真上から確認可能であるため、ボールに対する打点位置の正確性を高めることができる。つまり、本実施形態によれば、新たに第三下方位置シャフト１２５とヘッド中央基準線１１５との位置関係を確認可能であるため、ボールに対する打点位置および打ち出し方向の正確性をより高めることができる。
【００４９】
また、上記各実施形態においては、ヘッド中央部１４，１１４に一つの凹み部１４ａ，１１４ａを有する場合について説明したが、本発明はこの構成に限定されない。したがって、例えば、ヘッド中央部に複数の凹み部を有する構成としてもよい。また、例えば、複数の凹み部によって波型の凹み部を有する構成としてもよい。
【００５０】
さらに、上記各実施形態においては、曲線状（断面曲線状）の凹み部を有する場合について説明したが、本発明はこの構成に限定されない。したがって、例えば、断面三角形状、断面矩形状等の他の形状を有する凹み部としてもよい。
【００５１】
また、上記各実施形態においては、上方位置シャフトと下方位置シャフトとをシャフト連結接合部を用いて連結接合する場合について説明したが、本発明はこの構成に限定されない。したがって、例えば、単なる溶接接合にて構成したり、鍛造にて一体的な構造としたりして、シャフト部を構成してもよい。
【図面の簡単な説明】
【００５２】
【図１】本発明の実施形態にかかるゴルフパターの概略斜視図を示したものである。
【図２】本発明の実施形態にかかるゴルフパターの概略図を示したものであり、図２（ａ）は本実施形態にかかるゴルフパターの概略正面図を示し、図２（ｂ）は本実施形態にかかるゴルフパターの概略側面図を示している。
【図３】本発明の実施形態にかかるゴルフパターの概略図を示したものであり、図３（ａ）は図２（ａ）のIII−III矢視線方向概略断面図を示し、図３（ｂ）は図３（a）のIV−IV矢視線方向概略断面図を示している。
【図４】本発明の実施形態にかかるゴルフパターをプレイヤーが使用している状態（構えた状態）の概略図を示したものであり、図４（ａ）は構えた状態の概略正面図を示し、図４（ｂ）は構えた状態の概略側面図を示している。
【図５】本発明の実施形態にかかるゴルフパターをプレイヤーが使用している状態（打ち出し動作状態）の概略側面図を示したものであり、図５（ａ）は打ち出し動作直前の概略側面図を示し、図５（ｂ）は打ち出し動作開始時（テークバック）の概略側面図を示し、図５（ｃ）は打ち出し動作直後（フォロースルー）の概略側面図を示している。
【図６】本発明の他の実施形態にかかるゴルフパターの概略斜視図を示したものである。
【符号の説明】
【００５３】
１…ゴルフパター
１０…パターヘッド部
１１…ヘッド打球面
１２…第一接合部
１３…第二接合部
１４…ヘッド中央部
１４ａ…凹み部
１５…ヘッド中央基準線
２０…シャフト部
２１…第一下方位置シャフト（下方位置シャフト）
２２…第二下方位置シャフト（下方位置シャフト）
２３…上方位置シャフト
２４…シャフト連結接合部
３０…グリップ部
１０１…ゴルフパター
１１０…パターヘッド部
１１１…ヘッド打球面
１１２…第一接合部
１１３…第二接合部
１１４…ヘッド中央部
１１５…ヘッド中央基準線
１１６…第三接合部
１２０…シャフト部
１２１…第一下方位置シャフト（下方位置シャフト）
１２２…第二下方位置シャフト（下方位置シャフト）
１２３…上方位置シャフト
１２４…シャフト連結接合部
１２５…第三下方位置シャフト（下方位置シャフト）
１３０…グリップ部
【図１】
2010046223.tif 000003
【図２】
2010046223.tif 000004
【図３】
2010046223.tif 000005
【図４】
2010046223.tif 000006
【図５】
2010046223.tif 000007
【図６】
2010046223.tif 000008